(57)【要約】【課題】情報を、より立体的に表示することができる表示装置、時計、電子デバイスを提供する。【解決手段】表示部１５Ａは、磁力を発生する磁力発生部５１と、磁性流体Ｍが封入されたケース５２Ａと、ケース５２Ａに沿って設けられた第一極板５３Ａ及び第二極板５４Ａと、磁力発生部５１から第一極板５３Ａに磁力を伝達する第一磁力伝達部材５５と、磁力発生部５１から第二極板５４Ａに磁力を伝達する第二磁力伝達部材５６と、磁力発生部５１から第一極板５３Ａ及び第二極板５４Ａへの磁力の伝達を制御する制御部と、を備えている。【選択図】図２
2018155524.tif 000002
【特許請求の範囲】
【請求項１】
磁力を発生する磁力発生部と、
磁性流体が封入されたケースと、
前記ケースに沿って設けられた第一極板及び第二極板と、
前記磁力発生部から前記第一極板に磁力を伝達する第一磁力伝達部材と、
前記磁力発生部から前記第二極板に磁力を伝達する第二磁力伝達部材と、
前記磁力発生部から前記第一極板及び前記第二極板への磁力の伝達を制御する制御部と、
を備えることを特徴とする表示装置。
【請求項２】
前記磁力発生部は、コアとコイルとからなる電磁石であり、
前記制御部は、前記コイルに印加する電流量を制御することを特徴とする請求項１に記載の表示装置。
【請求項３】
前記ケースの第一面側に設けられ、前記ケース内を視認可能な窓を備え、
前記第一極板及び前記第二極板は、前記ケースの前記第一面に対向する第二面側に沿って設けられていることを特徴とする請求項１又は２に記載の表示装置。
【請求項４】
前記第一極板及び前記第二極板は、前記第一磁力伝達部材及び前記第二磁力伝達部材によって、前記ケースの前記第二面に向かって付勢されていることを特徴とする請求項３に記載の表示装置。
【請求項５】
前記第一極板及び前記第二極板は、前記ケースの前記第二面の全体を覆うよう設けられていることを特徴とする請求項３又は４に記載の表示装置。
【請求項６】
前記第一極板及び前記第二極板の少なくとも一方は、前記ケースの前記第二面の外周部に沿って設けられて、前記第二面の中央部に対向する位置に開口部を有していることを特徴とする請求項３又は４に記載の表示装置。
【請求項７】
前記ケースは、前記窓よりも大きな径を有した大径部を有していることを特徴とする請求項６に記載の表示装置。
【請求項８】
前記窓は、前記開口部の開口径以下であることを特徴とする請求項７に記載の表示装置。
【請求項９】
前記ケースの内部は、複数に区分され、それぞれの区分に前記磁性流体が封入されていることを特徴とする請求項１から８のいずれか一項に記載の表示装置。
【請求項１０】
複数の前記区分に封入された前記磁性流体の色が異なることを特徴とする請求項９に記載の表示装置。
【請求項１１】
複数の前記区分において、前記ケースの色が異なることを特徴とする請求項９又は１０に記載の表示装置。
【請求項１２】
前記ケースの内部に、前記磁性流体と非磁性流体とが封入されていることを特徴とする請求項１から１１のいずれか一項に記載の表示装置。
【請求項１３】
前記非磁性流体が、前記磁性流体と分離する流体であることを特徴とする請求項１２に記載の表示装置。
【請求項１４】
請求項１から１３のいずれか一項に記載の表示装置を備えることを特徴とする時計。
【請求項１５】
前記磁力発生部は、時刻表示用の転換機の電磁石であることを特徴とする請求項１４に記載の時計。
【請求項１６】
時刻表示用の転換機の電磁石を駆動する電池の出力電圧を検出する電圧検出部を備え、
前記制御部は、前記電圧検出部で検出された前記出力電圧が予め定めた基準値を下回ったときに、前記磁力発生部から前記第一極板及び前記第二極板に伝達する磁力を変化させ、前記ケース内の前記磁性流体の形状を変化させることを特徴とする請求項１４又は１５に記載の時計。
【請求項１７】
外部との通信を行う通信部を備え、
前記制御部は、前記通信部が外部との通信を行っているときに、前記磁力発生部から前記第一極板及び前記第二極板に伝達する磁力を変化させ、前記ケース内の前記磁性流体の形状を変化させることを特徴とする請求項１４から１６のいずれか一項に記載の時計。
【請求項１８】
請求項１から１３のいずれか一項に記載の表示装置を備えることを特徴とする電子デバイス。
【請求項１９】
外部との通信を行う通信部を備え、
前記制御部は、前記通信部が外部との通信を行っているときに、前記磁力発生部から前記第一極板及び前記第二極板に伝達する磁力を変化させ、前記ケース内の前記磁性流体の形状を変化させることを特徴とする請求項１８に記載の電子デバイス。
【発明の詳細な説明】
【技術分野】
【０００１】
この発明は、表示装置、時計、電子デバイスに関するものである。
【背景技術】
【０００２】
時計等のデバイスは、時刻等の情報を表示する表示部を備えている。このような表示部では、時刻以外にも、各種の情報をマーク（記号）等によって示す場合がある。
【０００３】
例えば特許文献１には、月の満ち欠けを示す情報を表示する表示部を備えた構成が開示されている。
この特許文献１には、月を示す円が描かれた回転板と、回転板の一部を露出させる窓と、を備えた表示部が開示されている。この構成によれば、回転板を回転させて窓から露出する円の形状によって、月の満ち欠けを表示する。
また、特許文献１には、月の満ち欠けを表示する液晶表示部を備えた構成も開示されている。
【先行技術文献】
【特許文献】
【０００４】
【特許文献１】実開昭６３−６３９２号公報
【発明の概要】
【発明が解決しようとする課題】
【０００５】
しかしながら、特許文献１に開示されたような構成にあっては、月を示す円が描かれた回転板を用いる構成、月の満ち欠けを表示する液晶表示部を用いる構成の何れの場合も、表示される情報は、平面的なものとなる。
【０００６】
そこで、本発明は、上記事情に鑑みたものであって、情報を、より立体的に表示することができる表示装置、時計、電子デバイスを提供することである。
【課題を解決するための手段】
【０００７】
上記の課題を解決するため、本発明の表示装置は、磁力を発生する磁力発生部と、磁性流体が封入されたケースと、前記ケースに沿って設けられた第一極板及び第二極板と、前記磁力発生部から前記第一極板に磁力を伝達する第一磁力伝達部材と、前記磁力発生部から前記第二極板に磁力を伝達する第二磁力伝達部材と、前記磁力発生部から前記第一極板及び前記第二極板への磁力の伝達を制御する制御部と、を備えることを特徴としている。
【０００８】
本発明によれば、磁力発生部で発生した磁力を、第一磁力伝達部材及び第二磁力伝達部材を介し、第一極板及び第二極板に伝達させる。すると、第一極板と第二極板とによって作用する磁界によって、ケース内に封入された磁性流体が動き、その形状が立体的に変化する。制御部により、第一極板、第二極板への磁力の伝達を制御することで、磁性流体によって表される立体的な像を変化させることができる。
【０００９】
また、前記磁力発生部は、コアとコイルとからなる電磁石であり、前記制御部は、前記コイルに印加する電流量を制御することを特徴としている。
【００１０】
本発明によれば、制御部においてコイルに印加する電流量を制御することで、磁性流体に作用させる磁界の強度を変化させることができる。これによって、ケース内の磁性流体の形状を、磁界の強度に応じて変化させることができ、多様性に富んだ情報を、磁性流体の形状によって表示することが可能となる。
【００１１】
また、前記ケースの第一面側に設けられ、前記ケース内を視認可能な窓を備え、前記第一極板及び前記第二極板は、前記ケースの前記第一面に対向する第二面側に沿って設けられていることを特徴としている。
【００１２】
本発明によれば、第一極板及び第二極板によって遮られることなく、窓を通してケース内の磁性流体を目視することができる。
【００１３】
また、前記第一極板及び前記第二極板は、前記第一磁力伝達部材及び前記第二磁力伝達部材によって、前記ケースの前記第二面に向かって付勢されていることを特徴としている。
【００１４】
本発明によれば、第一極板及び第二極板をケースの第二面に押し付けることで、第一極板及び第二極板による磁界をケース内の磁性流体に効率良く作用させることができる。
【００１５】
また、前記第一極板及び前記第二極板は、前記ケースの前記第二面の全体を覆うよう設けられていることを特徴としている。
【００１６】
本発明によれば、第一極板及び第二極板からケース内の第二面の全体に作用する磁界によって、磁性流体の形状を変化させることができる。
【００１７】
また、前記第一極板及び前記第二極板の少なくとも一方は、前記ケースの前記第二面の外周部に沿って設けられて、前記第二面の中央部に対向する位置に開口部を有していることを特徴としている。
【００１８】
本発明によれば、第一極板及び第二極板による磁界は、ケースの第二面の外周部に沿って集中的に作用する。これにより、ケースの外周部に磁性流体を引き寄せることができ、その中央部に、磁性流体の無い部分を形成することができる。一方、第一極板及び第二極板による磁界を作用させない状態では、磁性流体は、ケースの外周部に引き寄せられることがなくなる。したがって、磁界のＯＮ／ＯＦＦによって、磁性流体を中央部に穴のあいた環状に配置したり、穴の無い状態に配置することが可能となる。
【００１９】
また、前記ケースは、前記窓よりも大きな径を有した大径部を有していることを特徴としている。
【００２０】
本発明によれば、磁界の作用によって、磁性流体は、ケースの大径部の外周部に引き寄せられる。これにより、磁性流体は、少なくともその一部が窓よりも径方向外側に位置することとなる。したがって、磁性流体の少なくとも一部は、窓を通して視認することができなくなる。
【００２１】
また、前記窓は、前記開口部の開口径以下であることを特徴としている。
【００２２】
本発明によれば、磁界の作用によって、磁性流体をケースの外周部に引き寄せた状態で、窓を通してケース内を見たときに、磁性流体が目視できないようにすることができる。これによって、磁界のＯＮ／ＯＦＦによって、磁性流体が窓から見えない状態と、窓から見える状態とに切り換えることが可能となる。
【００２３】
また、前記ケースの内部は、複数に区分され、それぞれの区分に前記磁性流体が封入されていることを特徴としている。
【００２４】
本発明によれば、ケースの複数の区分のそれぞれで、磁性流体の形状変化による情報の表示を行うことが可能となる。
【００２５】
また、複数の前記区分に封入された前記磁性流体の色が異なることを特徴としている。
【００２６】
本発明によれば、複数種類の色の磁性流体により、複数種の情報の表示を行うことが可能となる。
【００２７】
また、複数の前記区分において、前記ケースの色が異なることを特徴としている。
【００２８】
本発明によれば、磁性流体の形状の変化によって、ケースの一部を隠蔽したり露出させることで、ケースの色を利用した情報の表示を行うこともできる。
【００２９】
また、前記ケースの内部に、前記磁性流体と非磁性流体とが封入されていることを特徴としている。
【００３０】
本発明によれば、ケースの内部で、磁性流体の流動性が良好となる。
【００３１】
また、前記非磁性流体が、前記磁性流体と分離する流体であることを特徴としている。
【００３２】
本発明によれば、非磁性流体中で磁性流体の動きが良好となり、磁性流体の形状変化による情報の表示のレスポンス性を高めることができる。
【００３３】
本発明の時計は、上記したような表示装置を備えることを特徴としている。
【００３４】
本発明によれば、時計における各種の情報表示を、磁性流体の立体的な像の変化によって行うことが可能となる。これにより、情報を、より顕著に表示したり、より特徴的に表示することが可能となる。
【００３５】
また、前記磁力発生部は、時刻表示用の転換機の電磁石であることを特徴としている。
【００３６】
本発明によれば、磁性流体の形状を変化させるための磁力発生部として、別途電磁石を用意する必要がなくなる。これにより、時計の軽量化、コンパクト化、低コスト化を図ることが可能となる。
【００３７】
また、時刻表示用の転換機の電磁石を駆動する電池の出力電圧を検出する電圧検出部を備え、前記制御部は、前記電圧検出部で検出された前記出力電圧が予め定めた基準値を下回ったときに、前記磁力発生部から前記第一極板及び前記第二極板に伝達する磁力を変化させ、前記ケース内の前記磁性流体の形状を変化させることを特徴としている。
【００３８】
本発明によれば、電池の残量が減ったときに、磁性流体の形状を変化させることで、電池の残量インジケータとして表示装置を用いることができる。
【００３９】
また、外部との通信を行う通信部を備え、前記制御部は、前記通信部が外部との通信を行っているときに、前記磁力発生部から前記第一極板及び前記第二極板に伝達する磁力を変化させ、前記ケース内の前記磁性流体の形状を変化させることを特徴としている。
【００４０】
本発明によれば、外部との通信を行っているときに、磁性流体の形状を変化させることで、通信中であることを示す情報を外部に報知することができる。
【００４１】
本発明の電子デバイスは、上記したような表示装置を備えることを特徴としている。
【００４２】
本発明によれば、電子デバイスにおける各種の情報表示を、磁性流体の立体的な像の変化によって行うことが可能となる。これにより、情報を、より顕著に表示したり、特徴的に表示することが可能となる。
【００４３】
また、本発明の電子デバイスは、外部との通信を行う通信部を備え、前記制御部は、前記通信部が外部との通信を行っているときに、前記磁力発生部から前記第一極板及び前記第二極板に伝達する磁力を変化させ、前記ケース内の前記磁性流体の形状を変化させることを特徴としている。
【００４４】
本発明によれば、通信部が外部との通信を行っているときにおいても、電子デバイスにおける通信状況等の情報表示を、磁性流体の立体的な像の変化によって行うことが可能となる。これにより、外部との通信状況を、より顕著に表示したり、特徴的に表示することが可能となる。
【発明の効果】
【００４５】
本発明によれば、第一極板、第二極板への磁力の伝達を制御することで、磁性流体によって表される立体的な像を変化させることができる。これにより、表示装置において、情報を立体的な像によって表示することが可能となる。
【図面の簡単な説明】
【００４６】
【図１】本発明の第一実施形態に係る時計を示す外観図である。
【図２】本発明の第一実施形態に係る表示装置の構成を示す図であり、図１のＡ−Ａ矢視断面図である。
【図３】表示装置の一部の構成を示す平面図である。
【図４】表示装置を構成する第一極板及び第一磁力伝達部材、第二極板及び第二磁力伝達部材を示す平面図である。
【図５】表示装置の機能的な構成を示すブロック図である。
【図６】磁界が作用していない状態における、ケース内の磁性流体の形状の一例を示す平面図である。
【図７】磁界が作用していない状態における、ケース内の磁性流体の形状の一例を示す断面図である。
【図８】弱磁界を作用させた状態におけるケース内の磁性流体の形状の一例を示す断面図である。
【図９】中磁界を作用させた状態におけるケース内の磁性流体の形状の一例を示す断面図である。
【図１０】強磁界を作用させた状態におけるケース内の磁性流体の形状の一例を示す平面図である。
【図１１】強磁界を作用させた状態におけるケース内の磁性流体の形状の一例を示す断面図である。
【図１２】本発明の第二実施形態に係る時計を示す外観図である。
【図１３】本発明の第二実施形態に係る表示装置の構成を示す図であり、図１２のＢ−Ｂ矢視断面図である。
【図１４】表示装置の一部の構成を示す平面図である。
【図１５】表示装置の一部の構成を示す断面図である。
【図１６】磁界を作用させた状態におけるケース内の磁性流体の形状の一例を示す平面図である。
【図１７】磁界を作用させた状態におけるケース内の磁性流体の形状の一例を示す断面図である。
【図１８】本発明の第二実施形態の変形例を示す断面図である。
【図１９】本発明の第三実施形態に係る表示装置の一部の構成を示す平面図である。
【図２０】表示装置の一部の構成を示す断面図である。
【図２１】表示装置の一部の構成を示す平面図である。
【図２２】表示装置を構成する第一極板及び第一磁力伝達部材、第二極板及び第二磁力伝達部材を示す平面図である。
【図２３】弱磁界を作用させた状態におけるケース内の磁性流体の形状の一例を示す断面図である。
【図２４】強磁界を作用させた状態におけるケース内の磁性流体の形状の一例を示す平面図である。
【図２５】強磁界を作用させた状態におけるケース内の磁性流体の形状の一例を示す断面図である。
【図２６】本発明の第三実施形態の第三変形例を示す平面図である。
【図２７】本発明の第四実施形態に係る表示装置の一部の構成を示す平面図である。
【図２８】表示装置の一部の構成を示す断面図である。
【図２９】表示装置の一部の構成を示す平面図である。
【図３０】弱磁界を作用させた状態におけるケース内の磁性流体の形状の一例を示す断面図である。
【図３１】強磁界を作用させた状態におけるケース内の磁性流体の形状の一例を示す平面図である。
【図３２】強磁界を作用させた状態におけるケース内の磁性流体の形状の一例を示す断面図である。
【発明を実施するための形態】
【００４７】
以下に、本発明の実施形態を図面に基づいて説明する。本実施形態では、アナログクォーツ式の時計を一例として説明する。
［第一実施形態］
（時計）
一般に、時計の駆動部分を含む機械体を「ムーブメント」と称する。このムーブメントに文字板、指針を取り付けて、時計ケースの中に入れて完成品にした状態を時計の「コンプリート」と称する。
時計の基盤を構成する地板の両側のうち、時計ケースのガラスのある方の側、すなわち、文字板のある方の側をムーブメントの「裏側」と称する。また、地板の両側のうち、時計ケースのケース裏蓋のある方の側、すなわち、文字板と反対の側をムーブメントの「表側」と称する。
【００４８】
図１は、第１実施形態に係る時計を示す外観図である。
図１に示すように、時計１のコンプリートは、ケース裏蓋（不図示）およびガラス２を有する時計ケース３の内部に、ムーブメント１０、文字板１１、指針１２，１３、および表示部１５Ａ（請求項の「表示装置」に相当。）
を備える。
文字板１１は、少なくとも時に関する情報を示す目盛り等を有する。指針１２，１３は、時を示す時針１２、分を示す分針１３を含む。
【００４９】
ムーブメント１０は、地板２０（図２参照）を備える。地板２０は、ムーブメント１０の基盤を構成する。地板２０の裏側には、文字板１１がガラス２を通じて視認可能に配置される。
地板２０の表側には、電池（不図示）、水晶ユニット（不図示）、回路基板（不図示）、ステップモータ３５（動力源）、輪列機構２３等が配設される。
【００５０】
ステップモータ３５は、コイルブロック３０と、このコイルブロック３０の磁心の両端部分と接触するように配置されたステータ３１と、このステータ３１のロータ穴３１ａに配置されたロータ３２と、を有する。
【００５１】
ロータ３２は、地板２０に対して回転可能に支持されている。ロータ３２は、１秒ごとに１ステップ回転するようになっており、輪列機構２３に回転力を付与する。
【００５２】
輪列機構２３は、ロータ３２の回転に基づいて回転する複数の歯車を備え、例えば、１時間に１回転する二番車（不図示）、１２時間に１回転する筒車（不図示）等を備える。二番車には、分針１３が取り付けられ、筒車には、時針１２が取付けられている。
【００５３】
（時計の作用）
次に、上述のように構成された時計１の作用について説明する。
ムーブメント１０において、水晶ユニットにおける水晶振動子が所定周波数で発振すると、この水晶振動子の振動に基づいて、集積回路に内蔵されている発振部が基準信号を出力すると共に、分周部が発振部からの出力信号を分周する。この分周部の出力信号に基づいて、ステップモータ３５を駆動するモータ駆動信号を駆動部が出力する。コイルブロック３０にこのモータ駆動信号が入力されると、ステータ３１が磁化してロータ３２を回転させる。このとき、ロータ３２は、例えば１秒ごとに１８０度回転しながら、連続的に回転を継続する。
【００５４】
ロータ３２の回転力は輪列機構２３に伝達され、輪列機構２３を構成する各歯車が回転する。このとき、二番車（不図示）が１時間に１回転し、筒車（不図示）が１２時間に１回転する。これにより、分針１３を１時間に１回転させ、時針１２を１２時間に１回転させることができる。
【００５５】
（表示部）
図２は、本発明の第１実施形態に係る表示装置の構成を示す図であり、図１のＡ−Ａ矢視断面図である。図３は、表示装置の一部の構成を示す平面図である。図４は、表示装置を構成する第一極板及び第一磁力伝達部材、第二極板及び第二磁力伝達部材を示す平面図である。図５は、表示装置の機能的な構成を示すブロック図である。
図２、図３に示すように、表示部１５Ａは、磁力発生部５１と、ケース５２Ａと、第一極板５３Ａ及び第二極板５４Ａと、第一磁力伝達部材５５と、第二磁力伝達部材５６と、制御部６０（図５参照）と、を備えている。
【００５６】
磁力発生部５１は、コア５１１とコイル５１２とからなる電磁石であり、ケース５２Ａに伝達する磁力を発生する。磁力発生部５１は、時計ケース３の内部に収容された電池（不図示）から供給される電流がコイル５１２に印加されると、磁界を発生する。磁力発生部５１は、コイル５１２に通電したときに発生する磁界のＮ極側とＳ極側に、磁極部５１ｎ，５１ｓを有している。
【００５７】
ケース５２Ａは、ガラス、樹脂等の透明性を有した材料からなる、扁平状の中空容器である。ケース５２Ａは、第一面５２１と、第二面５２２と、周壁部５２３と、を有する。第一面５２１は、地板２０の裏側を向き、外周部に対して中央部が裏側に膨出した湾曲面によって形成されている。第二面５２２は、地板２０の表側を向き、地板２０と平行な平面によって形成されている。周壁部５２３は、第一面５２１の外周部と第二面５２２の外周部とを連結するよう、円筒状に形成されている。ケース５２Ａは、第一面５２１及び周壁部５２３からなるケース本体５２０Ａと、第二面５２２を形成するベースカバー５２０Ｂと、からなる。ベースカバー５２０Ｂは、ケース本体５２０Ａよりも大きな外径を有し、文字板１１にその外周部が突き当たっている。
このケース５２Ａは、第一面５２１が、文字板１１に形成された円形の窓５７を通して、ガラス２側に露出するよう設けられている。
【００５８】
このケース５２Ａの内部には、磁性流体Ｍと非磁性流体Ｌとが封入されている。
磁性流体Ｍは、印加される磁界が強くなるほど、せん断抵抗（見かけの粘性）が大きくなる性質を有する。磁性流体Ｍは、マグネタイト、フェライト系、ネオジム系、サマリウムコバルト系等の磁性材料からなる粉末を、分散媒中に分散させた液状体である。分散媒としては、例えば、水、イソパラフィン、ポリオレフィン、パーフルオロポリエーテル、界面活性剤等を含むものを用いることができる。ここで、磁性流体Ｍを構成する材料やその混合比等については、何ら限定するものではない。例えば、磁性流体Ｍに含まれる磁性材料からなる粉末は、その表面に適宜材料からなるコーティングを施す等してもよい。また、磁性流体Ｍに含まれる磁性材料からなる粉末は、その粒径がなるべく小さいのが好ましい。
【００５９】
非磁性流体Ｌは、磁性流体Ｍと混ざり合わずに分離している。このような非磁性流体Ｌとしては、例えば、純水（水）の他、生理食塩水、各種のオイル、有機溶媒等を用いることができる。また、非磁性流体Ｌとして、空気や、その他のガスを用いることも可能である。
また、非磁性流体Ｌは、磁性流体Ｍとの分離性を高めるため、その比重が磁性流体Ｍの比重と異なるのが好ましい。例えば、非磁性流体Ｌの比重を、磁性流体Ｍの比重よりも小さくするのが好ましい。これにより、一定以上の強度の磁界が作用していない状態では、ケース５２Ａ内で、磁性流体Ｍは非磁性流体Ｌ中で鉛直方向下方に沈む。また、非磁性流体Ｌの比重を、磁性流体Ｍの比重よりも大きくしても良い。
【００６０】
第一極板５３Ａ、第二極板５４Ａは、磁性材料からなる金属製で、ケース５２Ａの第二面５２２に沿うよう設けられている。第一極板５３Ａは、ケース５２Ａの第二面５２２に突き当たるよう配置され、第二極板５４Ａは、第一極板５３Ａに対して地板２０の表側に積層して配置されている。
図３、図４に示すように、これら第一極板５３Ａ、第二極板５４Ａは、ケース５２Ａの第二面５２２の全面を覆うよう、円板状に形成されている。
【００６１】
第一磁力伝達部材５５は、鉄等の磁性材料からなり、帯状に延びている。第一磁力伝達部材５５は、その一端が磁力発生部５１の磁極部５１ｎに、接合ピン５８を介して接続されている。第一磁力伝達部材５５は、他端が第一極板５３Ａに一体に接合されている。すなわち、第一磁力伝達部材５５と第一極板５３Ａとは、プレス加工等によって金属板から一体に形成されている。
【００６２】
第二磁力伝達部材５６は、鉄等の磁性材料からなり、帯状に延びている。第二磁力伝達部材５６は、その一端が磁力発生部５１の磁極部５１ｓに、接合ピン５８を介して接続されている。第二磁力伝達部材５６は、他端が第二極板５４Ａに一体に接合されている。すなわち、第二磁力伝達部材５６と第二極板５４Ａとは、プレス加工等によって金属板から一体に形成されている。
【００６３】
このような第一磁力伝達部材５５、第二磁力伝達部材５６は、その一端と他端との間に、クランク状に折曲された折曲部５５ｓ、５６ｓを有しており、第一極板５３Ａ，第二極板５４Ａを、ケース５２Ａの第二面５２２側に向かって付勢している。これによって、第一極板５３Ａ，第二極板５４Ａは、ケース５２Ａの第二面５２２に密着している。
【００６４】
このような第一磁力伝達部材５５，第二磁力伝達部材５６によって、磁力発生部５１で発生した磁力が、第一極板５３Ａ、第二極板５４Ａに伝達される。
【００６５】
図５に示すように、制御部６０は、磁力発生部５１から第一極板５３Ａ及び第二極板５４Ａへの磁力の伝達を制御する。
制御部６０は、予め定めたコンピュータプログラムに基づいて、所定のタイミングで磁力発生部５１のコイル５１２に電池（不図示）から電流を供給する。ここで、制御部６０において、コイル５１２に電流を供給するタイミングについては、何ら限定するものではない。例えば、ムーブメント１０の水晶ユニットにおける水晶振動子の発振に基づいて出力される出力信号をトリガーとして、例えば１秒ごと、１分ごと、１時間ごと、といったタイミングでコイル５１２に電流を供給することができる。また、制御部６０は、ユーザが設定したアラーム時刻等に、コイル５１２に電流を供給することもできる。
【００６６】
また、表示部１５Ａは、磁力発生部５１の電磁石を駆動する電池（不図示）の出力電圧を検出する電圧検出部６１を備えるようにし、制御部６０は、電圧検出部６１で検出される電池の出力電圧に基づいて、コイル５１２への電流供給を制御することもできる。
この場合、制御部６０は、電圧検出部６１で検出された出力電圧が予め定めた基準値を下回ったときに、コイル５１２に電流を供給し、磁力発生部５１から第一極板５３Ａ及び第二極板５４Ａに磁力を伝達させる。
【００６７】
また、時計１は、外部との通信を行う、例えばブルートゥース（登録商標）、赤外線通信等の通信部６２を備えることもできる。この場合、制御部６０は、通信部６２が外部との通信を行っているときに、コイル５１２に電流を供給し、磁力発生部５１から第一極板５３Ａ及び第二極板５４Ａに磁力を伝達させる。
【００６８】
（表示部の作用）
次に、上記のように構成された表示部１５Ａの作用について説明する。
表示部１５Ａにおいては、文字板１１に形成された窓５７から、ケース５２Ａ内の磁性流体Ｍを目視することができる。
表示部１５Ａにおいては、磁力発生部５１で発生した磁力を、第一磁力伝達部材５５及び第二磁力伝達部材５６を介し、第一極板５３Ａ及び第二極板５４Ａに伝達させる。すると、第一極板５３Ａと第二極板５４Ａとによって作用する磁界の磁力線によって、ケース５２Ａ内に封入された磁性流体Ｍが動き、その形状が立体的に変化する。
【００６９】
ここで、図６、図７は、磁界が作用していない状態における、ケース５２Ａ内の磁性流体Ｍの形状の一例を示すものである。この図６、図７の例では、磁界が作用していない状態で、磁性流体Ｍは、ケース５２Ａ内の中央部に固まって位置している。
【００７０】
このような磁性流体Ｍに、磁界を作用させると、図８から図１１に示すように、磁性流体Ｍの形状が変化する。
図８は、弱磁界を作用させた状態におけるケース内の磁性流体の形状の一例を示す断面図である。
この図８に示すように、第一極板５３Ａ，第二極板５４Ａによって弱磁界を作用させると、その磁力線Ｌｍがケース５２Ａの第二面５２２の全面を通るため、磁性流体Ｍは、ケース５２Ａの第二面５２２の全面に沿うように薄く広がる。
【００７１】
図９は、中磁界を作用させた状態におけるケース内の磁性流体の形状の一例を示す断面図である。
この図９に示すように、図８よりも強い中程度の磁界を、第一極板５３Ａ，第二極板５４Ａによって作用させると、より強い磁力線が、第二面５２２の全面において、第二面５２２に直交する方向に作用する。これにより、磁性流体Ｍは、ケース５２Ａの第二面５２２に沿いつつ、磁力線に沿って針状に突出する。
【００７２】
図１０は、強磁界を作用させた状態におけるケース内の磁性流体の形状の一例を示す平面図である。図１１は、強磁界を作用させた状態におけるケース内の磁性流体の形状の一例を示す断面図である。
これら図１０、図１１に示すように、図９よりもさらに強い強磁界を、第一極板５３Ａ，第二極板５４Ａによって作用させると、さらに強い磁力線Ｌｍが、第二面５２２の全面において、第二面５２２に直交する方向に作用する。これにより、磁性流体Ｍは、ケース５２Ａの第二面５２２に沿いつつ、磁力線に沿って、針状に、より高く突出する。
【００７３】
このように、制御部６０により、第一極板５３Ａ、第二極板５４Ａへの磁力の伝達を制御することで、磁性流体Ｍによって表される立体的な像を変化させる。これにより、ユーザは、窓５７から磁性流体Ｍの立体的な像の変化により、情報を明確に認識することができる。
【００７４】
上述した表示部１５Ａは、磁力を発生する磁力発生部５１と、磁性流体Ｍが封入されたケース５２Ａと、ケース５２Ａに沿って設けられた第一極板５３Ａ及び第二極板５４Ａと、磁力発生部５１から第一極板５３Ａに磁力を伝達する第一磁力伝達部材５５と、磁力発生部５１から第二極板５４Ａに磁力を伝達する第二磁力伝達部材５６と、磁力発生部５１から第一極板５３Ａ及び第二極板５４Ａへの磁力の伝達を制御する制御部６０と、を備えている。
このように構成することで、第一極板５３Ａと第二極板５４Ａとによって作用する磁界によって、ケース５２Ａ内に封入された磁性流体Ｍが動き、その形状を立体的に変化させることができる。さらに、制御部６０により、第一極板５３Ａ、第二極板５４Ａへの磁力の伝達を制御することで、磁性流体Ｍによって表される立体的な像を変化させることができる。これにより、表示部１５Ａにおいて、情報を立体的な像によって表示することが可能となり、情報を、より明確に表示することが可能となる。
【００７５】
また、磁力発生部５１は、コア５１１とコイル５１２とからなる電磁石であり、制御部６０は、コイル５１２に印加する電流量を制御している。
このように構成することで、磁性流体Ｍに作用させる磁界の強度を変化させることができる。これによって、ケース５２Ａ内で磁性流体Ｍの形状を、磁界の強度に応じて変化させることができ、多様性に富んだ情報を、磁性流体Ｍの形状によって表示することが可能となる。
【００７６】
また、表示部１５Ａは、ケース５２Ａの第一面５２１側に設けられ、ケース５２Ａ内を視認可能な窓５７を備え、第一極板５３Ａ及び第二極板５４Ａは、ケース５２Ａの第一面５２１に対向する第二面５２２側に沿って設けられている。
このように構成することで、第一極板５３Ａ及び第二極板５４Ａによって遮られることなく、ケース５２Ａ内の磁性流体Ｍを目視することができる。
【００７７】
また、第一極板５３Ａ及び第二極板５４Ａは、第一磁力伝達部材５５及び第二磁力伝達部材５６によって、ケース５２Ａの第二面５２２に向かって付勢されている。
このように構成することで、第一極板５３Ａ及び第二極板５４Ａをケース５２Ａの第二面５２２に押し付けて、第一極板５３Ａ及び第二極板５４Ａによる磁界をケース５２Ａ内の磁性流体Ｍに効率良く作用させることができる。
【００７８】
また、第一極板５３Ａ及び第二極板５４Ａは、ケース５２Ａの第二面５２２の全体を覆うよう設けられている。
このように構成することで、第一極板５３Ａ及び第二極板５４Ａからケース５２Ａ内の第二面５２２の全体に作用する磁界によって、磁性流体Ｍの形状を変化させることができる。
【００７９】
また、ケース５２Ａの内部に、磁性流体Ｍと非磁性流体Ｌとが封入されている。
このように構成することで、ケース５２Ａの内部で、磁性流体Ｍの流動性が良好となる。
【００８０】
さらに、非磁性流体Ｌは、磁性流体Ｍと分離する流体である。
このように構成することで、非磁性流体Ｌ中で磁性流体Ｍの動きが良好となり、磁性流体Ｍの形状変化による情報の表示のレスポンス性を高めることができる。
【００８１】
また、上述した時計１は、上記したような表示部１５Ａを備える。
これにより、時計１における各種の情報表示を、磁性流体Ｍの立体的な像の変化によって行うことが可能となる。これにより、情報を、より顕著に表示したり、より特徴的に表示することが可能となる。
【００８２】
また、時計１は、ムーブメント１０を駆動する電池（不図示）の出力電圧を検出する電圧検出部６１を備え、制御部６０は、電圧検出部６１で検出された出力電圧が予め定めた基準値を下回ったときに、磁力発生部５１から第一極板５３Ａ及び第二極板５４Ａに磁力を伝達させ、ケース５２Ａ内の磁性流体Ｍの形状を変化させている。
このように構成することで、電池の残量が減ったときに、磁性流体Ｍの形状を変化させることで、電池の残量インジケータとして表示部１５Ａを用いることができる。
【００８３】
また、時計１は、外部との通信を行う通信部６２を備え、制御部６０は、通信部６２が外部との通信を行っているときに、磁力発生部５１から第一極板５３Ａ及び第二極板５４Ａに磁力を伝達させ、ケース５２Ａ内の磁性流体Ｍの形状を変化させている。
このように構成することで、通信部６２で外部との通信を行っているときに、磁性流体Ｍの形状を変化させることで、通信中であることを示す情報を外部に報知することができる。
【００８４】
［第二実施形態］
次に、本発明にかかる表示装置、時計、電子デバイスの第二実施形態について説明する。
以下に説明する第二実施形態では、上記第一実施形態とは、ケースの形状が異なる。なお、以下に説明する第二の実施形態においては、上記第一の実施形態と共通する構成については図中に同符号を付してその説明を省略する。
【００８５】
図１２は、本発明の第２実施形態に係る時計を示す外観図である。図１３は、本発明の第２実施形態に係る表示装置の構成を示す図であり、図１２のＢ−Ｂ矢視断面図である。図１４は、表示装置の一部の構成を示す平面図である。図１５は、表示装置の一部の構成を示す断面図である。
図１２、図１３に示すように、本実施形態における時計１の表示部１５Ｂ（請求項の「表示装置」に相当。）は、磁力発生部５１と、ケース５２Ｂと、第一極板５３Ｂ及び第二極板５４Ａと、第一磁力伝達部材５５と、第二磁力伝達部材５６と、制御部６０（図５参照）と、を備えている。
【００８６】
図１３、図１４、図１５に示すように、ケース５２Ｂは、ガラス、樹脂等の透明性を有した材料からなる、扁平状の中空容器である。ケース５２Ｂは、第一面５２１と、第二面５２２と、周壁部５２４と、を有する。
【００８７】
第一面５２１は、地板２０の裏側を向き、外周部に対して中央部が裏側に膨出した湾曲面によって形成されている。第二面５２２は、地板２０の表側を向き、地板２０と平行な平面によって形成されている。
【００８８】
周壁部５２４は、第一面５２１の外周部と第二面５２２の外周部とを連結する。周壁部５２４は、第一面５２１側が、文字板１１に形成された窓５７に嵌め込まれる外径を有した小径部５２４ａとされている。周壁部５２４は、第二面５２２側が、窓５７及び小径部５２４ａよりも外径が大きな大径部５２４ｂとされている。周壁部５２４は、小径部５２４ａと大径部５２４ｂとの間に、文字板１１の地板２０側に突き当たる段部５２４ｃを有している。
【００８９】
このケース５２Ｂは、周壁部５２４の小径部５２４ａを窓５７に挿入し、窓５７を通して、第一面５２１をガラス２側に露出させて設けられている。ケース５２Ｂは、大径部５２４ｂにおいて、小径部５２４ａよりも径方向外側の環状の部分が、窓５７よりも径方向外側に位置して、文字板１１によって覆われている。
【００９０】
このケース５２Ｂの内部には、磁性流体Ｍと非磁性流体Ｌとが封入されている。
また、ケース５２Ｂの第二面５２２には、第一極板５３Ｂ、第二極板５４Ａが沿うように設けられている。
【００９１】
第一極板５３Ｂは、磁性材料からなる金属製で、ケース５２Ｂの第二面５２２に沿うよう設けられている。第一極板５３Ｂは、ケース５２Ｂの第二面５２２の外周部に沿って連続する環状をなし、第二面５２２の中央部に対向する位置に開口部５３１を有している。この開口部５３１は、窓５７の内径以上の開口径を有している。言い換えると、窓５７は、開口部５３１の開口径以下の内径を有している。これにより、環状をなした第一極板５３Ｂは、窓５７よりも径方向外側に位置して、文字板１１によって覆われている。
【００９２】
第二極板５４Ａは、上記第一実施形態と同様、磁性材料からなる金属製で、第一極板５３Ｂに対して地板２０の表側に積層して配置されている。第二極板５４Ａは、ケース５２Ｂの第二面５２２の全面を覆うよう、円板状に形成されている。
【００９３】
第一磁力伝達部材５５，第二磁力伝達部材５６は、磁力発生部５１で発生した磁力を、第一極板５３Ｂ、第二極板５４Ａに伝達するよう設けられている。
【００９４】
制御部６０は、磁力発生部５１から第一極板５３Ｂ及び第二極板５４Ａへの磁力の伝達を、上記第一実施形態と同様に制御する。
【００９５】
（表示部の作用）
次に、上記のように構成された表示部１５Ｂの作用について説明する。
表示部１５Ｂにおいては、文字板１１に形成された窓５７から、ケース５２Ｂ内の磁性流体Ｍを目視することができる。
表示部１５Ｂにおいては、磁力発生部５１で発生した磁力を、第一磁力伝達部材５５及び第二磁力伝達部材５６を介し、第一極板５３Ｂ及び第二極板５４Ａに伝達させる。すると、第一極板５３Ｂと第二極板５４Ａとによって作用する磁界の磁力線によって、ケース５２Ｂ内に封入された磁性流体Ｍが動き、その形状が立体的に変化する。
【００９６】
図１４、図１５に示すように、磁界が作用していない状態で、磁性流体Ｍは、ケース５２Ｂ内の中央部に固まって立体的に位置している。これにより、磁性流体Ｍは、窓５７を通して視認可能となっている。
【００９７】
図１６は、磁界を作用させた状態におけるケース内の磁性流体の形状の一例を示す平面図である。図１７は、磁界を作用させた状態におけるケース内の磁性流体の形状の一例を示す断面図である。
図１６、図１７に示すように、第一極板５３Ｂ，第二極板５４Ａによって磁界を作用させると、その磁力線が、環状の第一極板５３Ｂが位置するケース５２Ｂの外周部に集中する。このため、磁性流体Ｍは、ケース５２Ｂの外周部に引き寄せられ、中央部に磁性流体Ｍの存在しない、環状をなす。
このとき、ケース５２Ｂは、窓５７よりも径方向外側に拡がる大径部５２４ｂを有している。これにより、外周部に引き寄せられた磁性流体Ｍは、窓５７よりも径方向外側の大径部５２４ｂに入り込む。これにより、窓５７側から見たときに、磁性流体Ｍは、文字板１１によって覆われた状態となり、視認できない状態となる。
【００９８】
上述した表示部１５Ｂは、第一極板５３Ｂが、ケース５２Ｂの第二面５２２の外周部に沿って設けられて、第二面５２２の中央部に対向する位置に開口部５３１を有している。
このように構成することで、第一極板５３Ｂ及び第二極板５４Ａによる磁界は、ケース５２Ｂの第二面５２２の外周部に沿って集中的に作用する。これにより、ケース５２Ｂの外周部に磁性流体Ｍを引き寄せることができ、その中央部に、磁性流体Ｍの無い部分を形成することができる。磁界を作用させない状態では、磁性流体Ｍは、ケース５２Ｂの外周部に引き寄せられることがなく、立体状に固まっている。したがって、磁界のＯＮ／ＯＦＦによって、磁性流体Ｍを中央部に穴のあいた環状に配置したり、穴の無い状態に配置することが可能となる。したがって、表示部１５Ｂは、窓５７を通して視認できる磁性流体Ｍの有無によって、情報を表示することが可能となる。これにより、表示部１５Ｂにおいて、情報を立体的な像によって表示することが可能となり、情報を、より明確に表示することが可能となる。
【００９９】
また、窓５７は、開口部５３１の開口径以下である。
このように構成することで、磁界の作用によって、磁性流体Ｍをケース５２Ｂの外周部に引き寄せた状態で、窓５７を通してケース５２Ｂ内を見たときに、磁性流体Ｍが目視できないようにすることができる。これによって、磁界のＯＮ／ＯＦＦによって、磁性流体Ｍが窓５７から見えない状態と、窓５７から見える状態とに切り換えることが可能となる。
【０１００】
また、上述した時計１は、上記したような表示部１５Ｂを備える。
これにより、第一実施形態と同様に、時計１における各種の情報表示を、磁性流体Ｍの立体的な像の変化によって行うことが可能となる。これにより、情報を、より顕著に表示したり、特徴的に表示することが可能となる。
【０１０１】
（第二実施形態の変形例）
なお、上記実施形態では、磁界によって外周部に引き寄せられた磁性流体Ｍは、窓５７よりも径方向外側の大径部５２４ｂに入り込み、窓５７側から見たときに、磁性流体Ｍが視認できない状態となるようにしたが、これに限らない。
図１８は、本発明の第２実施形態の変形例を示す断面図である。
例えば、図１８に示すように、磁界によって外周部に引き寄せられた磁性流体Ｍは、窓５７よりも径方向外側の大径部５２４ｂに入り込み、窓５７側から見たときに、磁性流体Ｍの内周縁部Ｍｒがリング状に視認できるようにしてもよい。
【０１０２】
また、上記実施形態では、第一極板５３Ｂのみを環状に形成したが、第二極板５４Ａについても、第一極板５３Ｂと同様に、中央部に開口部を有した環状に形成してもよい。
【０１０３】
［第三実施形態］
次に、本発明にかかる表示装置、時計、電子デバイスの第三実施形態について説明する。
以下に説明する第三実施形態では、上記第一、第二実施形態とは、ケース内部が複数に区分されている点が異なる。なお、以下に説明する第三の実施形態においては、上記第一、第二の実施形態と共通する構成については図中に同符号を付してその説明を省略する。
【０１０４】
図１９は、本発明の第三実施形態に係る表示装置の一部の構成を示す平面図である。図２０は、表示装置の一部の構成を示す断面図である。図２１は表示装置の一部の構成を示す平面図である。図２２は、表示装置を構成する第一極板及び第一磁力伝達部材、第二極板及び第二磁力伝達部材を示す平面図である。
図１９〜図２１に示すように、時計１の表示部１５Ｃ（請求項の「表示装置」に相当。）は、磁力発生部５１（図２１参照）と、ケース５２Ｃと、第一極板５３Ｃ及び第二極板５４Ｃ（図２１参照）と、第一磁力伝達部材５５と、第二磁力伝達部材５６（図２１参照）と、制御部６０（図５参照）と、を備えている。
【０１０５】
磁力発生部５１は、コア５１１とコイル５１２とからなる電磁石であり、ケース５２Ｃに伝達する磁力を発生する。
【０１０６】
図１９、図２０に示すように、ケース５２Ｃは、ガラス、樹脂等の透明性を有した材料からなる、扁平状の中空容器である。ケース５２Ｃは、第一面５２１と、第二面５２２と、周壁部５２３と、仕切部５２５を有する。
仕切部５２５は、ケース５２Ｃの径方向に延び、ケース５２Ｃの内部空間を２つの空間５２６Ａ，５２６Ｂに区分している。
このケース５２Ｃは、第一面５２１が、文字板１１に形成された円形の窓５７を通して、ガラス２側に露出するよう設けられている。
【０１０７】
このケース５２Ｃの内部には、各空間５２６Ａ，５２６Ｂに、磁性流体Ｍと非磁性流体Ｌとが封入されている。
【０１０８】
図２１、図２２に示すように、第一極板５３Ｃ、第二極板５４Ｃは、磁性材料からなる金属製で、ケース５２Ｃの第二面５２２に沿うよう設けられている。第一極板５３Ｃは、ケース５２Ｃの第二面５２２に突き当たるよう配置され、第二極板５４Ｃは、第一極板５３Ｃに対して地板２０の表側に積層して配置されている。
【０１０９】
これら第一極板５３Ｃ、第二極板５４Ｃは、ケース５２Ｃの仕切部５２５に対向する部分に、スリット５３５，５４５を有している。ここで第一極板５３Ｃにおいて、スリット５３５は、第一磁力伝達部材５５が接続されている側の端部５３ｄとは反対側の、第二磁力伝達部材５６が接続されている側の端部５３ｅ側に開口して形成されている。これに対し、第二極板５４Ｃにおいて、スリット５４５は、第二磁力伝達部材５６が接続されている側の端部５４ｄとは反対側の、第一磁力伝達部材５５が接続されている側の端部５４ｅ側に開口して形成されている。これにより、一体に形成された第一極板５３Ｃ及び第一磁力伝達部材５５と、第二極板５４Ｃ及び第二磁力伝達部材５６とは、同形状にプレス加工した材料を、表裏を裏返しにすることで形成することができる。
【０１１０】
（表示部の作用）
次に、上記のように構成された表示部１５Ｃの作用について説明する。
表示部１５Ｃにおいては、文字板１１に形成された窓５７から、ケース５２Ｃの各空間５２６Ａ，５２６Ｂ内の磁性流体Ｍを目視することができる。
表示部１５Ｃにおいては、磁力発生部５１で発生した磁力を、第一磁力伝達部材５５及び第二磁力伝達部材５６を介し、第一極板５３Ｃ及び第二極板５４Ｃに伝達させる。すると、第一極板５３Ｃと第二極板５４Ｃとによって作用する磁界の磁力線によって、ケース５２Ｃの各空間５２６Ａ，５２６Ｂ内に封入された磁性流体Ｍが動き、その形状が立体的に変化する。
【０１１１】
図１９、図２０に示すように、磁界が作用していない状態で、磁性流体Ｍは、ケース５２Ｃの各空間５２６Ａ，５２６Ｂ内の中央部に固まって位置している。
【０１１２】
このような磁性流体Ｍに、磁界を作用させると、図２３から図２５に示すように、磁性流体Ｍの形状が変化する。
図２３は、弱磁界を作用させた状態におけるケース内の磁性流体の形状の一例を示す断面図である。
この図２３に示すように、第一極板５３Ｃ，第二極板５４Ｃによって弱磁界を作用させると、その磁力線がケース５２Ｃの各空間５２６Ａ，５２６Ｂ内で、第二面５２２を通るため、磁性流体Ｍは、ケース５２Ｃの各空間５２６Ａ，５２６Ｂ内で、第二面５２２に沿うように薄く広がる。
【０１１３】
図２４は、強磁界を作用させた状態におけるケース内の磁性流体の形状の一例を示す平面図である。図２５は、強磁界を作用させた状態におけるケース内の磁性流体の形状の一例を示す断面図である。
図２４、図２５に示すように、図２３よりも強い強磁界を、第一極板５３Ｃ，第二極板５４Ｃによって作用させると、より強い磁力線が、各空間５２６Ａ，５２６Ｂ内で、第二面５２２に直交する方向に作用する。これにより、磁性流体Ｍは、ケース５２Ｃの各空間５２６Ａ，５２６Ｂで、第二面５２２に沿いつつ、磁力線に沿って、針状に、より高く突出する。
【０１１４】
このように、制御部６０により、第一極板５３Ｃ、第二極板５４Ｃへの磁力の伝達を制御することで、各空間５２６Ａ，５２６Ｂのそれぞれで、磁性流体Ｍによって表される立体的な像を変化させる。これにより、ユーザは、窓５７から磁性流体Ｍの立体的な像の変化により、情報を明確に認識することができる。
【０１１５】
上述した表示部１５Ｃは、上記第一実施形態と同様、第一極板５３Ｃと第二極板５４Ｃとによって作用する磁界によって、ケース５２Ｃの各空間５２６Ａ，５２６Ｂ内に封入された磁性流体Ｍが動き、その形状を立体的に変化させることができる。さらに、制御部６０により、第一極板５３Ｃ、第二極板５４Ｃへの磁力の伝達を制御することで、磁性流体Ｍによって表される立体的な像を変化させることができる。これにより、表示部１５Ｃにおいて、情報を立体的な像によって表示することが可能となり、情報を、より明確に表示することが可能となる。
【０１１６】
また、ケース５２Ｃの内部は、複数の空間５２６Ａ，５２６Ｂに区分され、それぞれの空間５２６Ａ，５２６Ｂに磁性流体Ｍが封入されている。
これにより、ケース５２Ｃの空間５２６Ａ，５２６Ｂのそれぞれで、磁性流体Ｍの形状変化による情報の表示を行うことが可能となる。
【０１１７】
また、上述した時計１は、上記したような表示部１５Ｃを備える。
これにより、時計１における各種の情報表示を、空間５２６Ａ，５２６Ｂ内のそれぞれの磁性流体Ｍの立体的な像の変化によって行うことが可能となる。これにより、情報を、より顕著に表示したり、特徴的に表示することが可能となる。
【０１１８】
（第三実施形態の第一変形例）
次に、上記第三実施形態の各変形例を示す。上記第三実施形態では、空間５２６Ａ，５２６Ｂ内にそれぞれ磁性流体Ｍを封入するようにしたが、複数の空間５２６Ａ，５２６Ｂで、封入された磁性流体Ｍの色が互いに異なるようにしても良い。また、複数の空間５２６Ａ，５２６Ｂで、封入された非磁性流体Ｌの色を互いに異ならせるようにしても良い。
このようにすることで、複数の空間５２６Ａ，５２６Ｂで、複数種類の色の磁性流体Ｍによる情報表示を行うことが可能となる。
【０１１９】
（第三実施形態の第二変形例）
また、上記第三実施形態の構成において、ケース５２Ｃの空間５２６Ａと空間５２６Ｂとで、第二面５２２を形成するガラスや樹脂等の材料の色を異ならせるようにしても良い。
このようにすることで、磁界の印加によって磁性流体Ｍの形状が変化したときに、空間５２６Ａと空間５２６Ｂとで、磁性流体Ｍによって隠蔽されていた第二面５２２を露出させた状態で、その色が互いに異なることとなる。これによって、複数の空間５２６Ａ，５２６Ｂで、互いに異なる種類の情報表示を、色の違いによって行うことが可能となる。
【０１２０】
（第三実施形態の第三変形例）
また、上記第三実施形態の構成において、空間５２６Ａと空間５２６Ｂとで、共通の磁力発生部５１から伝達される磁力による磁界を発生するようにしたが、これに限らない。
例えば、図２６に示すように、空間５２６Ａと空間５２６Ｂとで、それぞれ独立した第一極板５３Ｄ，第二極板５４Ｄを備えるようにしても良い。空間５２６Ａの第一極板５３Ｄ及び第二極板５４Ｄと、空間５２６Ｂの第一極板５３Ｄ及び第二極板５４Ｄとは、それぞれ、第一磁力伝達部材５５Ｄ，第二磁力伝達部材５６Ｄを介して、別々の磁力発生部５１Ｄに磁気的に接続されている。
このような構成によれば、空間５２６Ａ，５２６Ｂとで、磁性流体Ｍに個別に磁界を印加し、磁性流体Ｍの形状を独立して制御することが可能となる。
【０１２１】
［第四実施形態］
次に、本発明にかかる表示装置、時計、電子デバイスの第四実施形態について説明する。
以下に説明する第四実施形態では、上記第一〜第三実施形態とは、ケース内部が複数に区分されている点が異なる。なお、以下に説明する第四の実施形態においては、上記第一〜第三の実施形態と共通する構成については図中に同符号を付してその説明を省略する。
【０１２２】
図２７は、本発明の第四実施形態に係る表示装置の一部の構成を示す平面図である。図２８は、表示装置の一部の構成を示す断面図である。図２９は、表示装置の一部の構成を示す平面図である。
図２７〜図２９に示すように、時計１の表示部１５Ｅ（請求項の「表示装置」に相当。）は、磁力発生部５１（図２９参照）と、ケース５２Ｅと、第一極板５３Ｅ及び第二極板５４Ｅと、第一磁力伝達部材５５と、第二磁力伝達部材５６（図２９参照）と、制御部６０（図５参照）と、を備えている。
【０１２３】
磁力発生部５１は、コア５１１とコイル５１２とからなる電磁石であり、ケース５２Ｅに伝達する磁力を発生する。
【０１２４】
図２７、図２８に示すように、ケース５２Ｅは、ガラス、樹脂等の透明性を有した材料からなる、扁平状の中空容器である。ケース５２Ｅは、第一面５２１と、第二面５２２と、周壁部５２３と、仕切部５２７を有する。
仕切部５２７は、ケース５２Ｅ内で十字状に延び、ケース５２Ｅの内部空間を４つの空間５２８Ａ，５２８Ｂ，５２８Ｃ，５２８Ｄに区分している。
このケース５２Ｅは、第一面５２１が、文字板１１に形成された円形の窓５７を通して、ガラス２側に露出するよう設けられている。
【０１２５】
このケース５２Ｅの内部には、各空間５２８Ａ，５２８Ｂ，５２８Ｃ，５２８Ｄに、磁性流体Ｍと非磁性流体Ｌとが封入されている。
【０１２６】
図２８に示すように、第一極板５３Ｅ、第二極板５４Ｅは、磁性材料からなる金属製で、ケース５２Ｅの第二面５２２に沿うよう設けられている。第一極板５３Ｅは、ケース５２Ｅの第二面５２２に突き当たるよう配置され、第二極板５４Ｅは、第一極板５３Ｅに対して地板２０の表側に積層して配置されている。
【０１２７】
図２９に示すように、第一極板５３Ｅは、ケース５２Ｅの仕切部５２７に対向する部分に、十字状のスリット５３７を有している。
【０１２８】
（表示部の作用）
次に、上記のように構成された表示部１５Ｅの作用について説明する。
表示部１５Ｅにおいては、文字板１１に形成された窓５７から、ケース５２Ｅの各空間５２８Ａ，５２８Ｂ，５２８Ｃ，５２８Ｄ内の磁性流体Ｍを目視することができる。
表示部１５Ｅにおいては、磁力発生部５１で発生した磁力を、第一磁力伝達部材５５及び第二磁力伝達部材５６を介し、第一極板５３Ｅ及び第二極板５４Ｅに伝達させる。すると、第一極板５３Ｅと第二極板５４Ｅとによって作用する磁界の磁力線によって、ケース５２Ｅの各空間５２８Ａ，５２８Ｂ，５２８Ｃ，５２８Ｄ内に封入された磁性流体Ｍが動き、その形状が立体的に変化する。
【０１２９】
図２７、図２８に示すように、磁界が作用していない状態で、磁性流体Ｍは、ケース５２Ｅの各空間５２８Ａ，５２８Ｂ，５２８Ｃ，５２８Ｄ内の中央部に固まって位置している。
【０１３０】
このような磁性流体Ｍに、磁界を作用させると、図３０から図３２に示すように、磁性流体Ｍの形状が変化する。
図３０は、弱磁界を作用させた状態におけるケース内の磁性流体の形状の一例を示す断面図である。
図３０に示すように、第一極板５３Ｅ，第二極板５４Ｅによって弱磁界を作用させると、その磁力線がケース５２Ｅの各空間５２８Ａ，５２８Ｂ，５２８Ｃ，５２８Ｄ内で、第二面５２２を通るため、磁性流体Ｍは、ケース５２Ｅの各空間５２８Ａ，５２８Ｂ，５２８Ｃ，５２８Ｄ内で、第二面５２２に沿うように薄く広がる。
【０１３１】
図３１は、強磁界を作用させた状態におけるケース内の磁性流体の形状の一例を示す平面図である。図３２は、強磁界を作用させた状態におけるケース内の磁性流体の形状の一例を示す断面図である。
図３１、図３２に示すように、図３０よりも強い強磁界を、第一極板５３Ｅ，第二極板５４Ｅによって作用させると、より強い磁力線が、各空間５２８Ａ，５２８Ｂ，５２８Ｃ，５２８Ｄ内で、第二面５２２に直交する方向に作用する。これにより、磁性流体Ｍは、ケース５２Ｅの各空間５２８Ａ，５２８Ｂ，５２８Ｃ，５２８Ｄで、第二面５２２に沿いつつ、磁力線に沿って、針状に、より高く突出する。
【０１３２】
このように、制御部６０により、第一極板５３Ｅ、第二極板５４Ｅへの磁力の伝達を制御することで、各空間５２８Ａ，５２８Ｂ，５２８Ｃ，５２８Ｄのそれぞれで、磁性流体Ｍによって表される立体的な像を変化させる。これにより、ユーザは、窓５７から磁性流体Ｍの立体的な像の変化により、情報を明確に認識することができる。
【０１３３】
上述した表示部１５Ｅは、上記第一実施形態と同様、第一極板５３Ｅと第二極板５４Ｅとによって作用する磁界によって、ケース５２Ｅの各空間５２８Ａ，５２８Ｂ，５２８Ｃ，５２８Ｄ内に封入された磁性流体Ｍが動き、その形状を立体的に変化させることができる。さらに、制御部６０により、第一極板５３Ｅ、第二極板５４Ｅへの磁力の伝達を制御することで、磁性流体Ｍによって表される立体的な像を変化させることができる。これにより、表示部１５Ｅにおいて、情報を立体的な像によって表示することが可能となり、情報を、より明確に表示することが可能となる。
【０１３４】
また、ケース５２Ｅの内部は、複数の空間５２８Ａ，５２８Ｂ，５２８Ｃ，５２８Ｄに区分され、それぞれの空間５２８Ａ，５２８Ｂ，５２８Ｃ，５２８Ｄに磁性流体Ｍが封入されている。
これにより、ケース５２Ｅの空間５２８Ａ，５２８Ｂ，５２８Ｃ，５２８Ｄのそれぞれで、磁性流体Ｍの形状変化による情報の表示を行うことが可能となる。
【０１３５】
また、上述した時計１は、上記したような表示部１５Ｅを備える。
これにより、時計１における各種の情報表示を、空間５２８Ａ，５２８Ｂ，５２８Ｃ，５２８Ｄ内のそれぞれの磁性流体Ｍの立体的な像の変化によって行うことが可能となる。これにより、情報を、より顕著に表示したり、特徴的に表示することが可能となる。
【０１３６】
（その他の実施形態）
なお、本発明は、図面を参照して説明した上述の各実施形態に限定されるものではなく、その技術的範囲において様々な変形例が考えられる。
例えば、上記各実施形態では、表示部１５Ａ〜１５Ｅで磁性流体Ｍに印加する磁界を、磁力発生部５１で発生するようにしたが、これに代えて、時計１における時刻表示用の転換機を構成するステップモータ３５のコイルブロック３０（請求項の「電磁石」に相当。）を用いるようにしても良い。これにより、磁力発生部５１を省略することができ、時計１を構成する部品の点数を削減することが可能となる。
【０１３７】
また、上記の各実施形態では、時計１に、１つの表示部１５Ａを備えるようにしたが、これに限定されない。したがって、例えば、表示部１５Ａを複数備え、それぞれの表示部１５Ａを、一斉に、または個別に制御し、磁性流体Ｍの形状変化による情報表示を行うようにしてもよい。
【０１３８】
また、時計１およびムーブメント１０の各部の構成、配置等は、本発明の趣旨を逸脱しない範囲であれば、他のいかなる構成としてもよい。
また、上記各実施形態では、本発明に係る表示装置を、クォーツ式の時計１に適用した場合を例に挙げて説明したが、機械式時計や、デジタル式時計に適用しても良い。さらに、本発明に係る表示装置は、時計に限らず、各種のモバイル機器、タブレット機器、携帯型ゲーム機等をはじめとする各種の電子デバイスに適用することが可能である。
その他、本発明の趣旨を逸脱しない範囲で、上述した実施の形態における構成要素を周知の構成要素に置き換えることは適宜可能である。
【符号の説明】
【０１３９】
１  時計
２  ガラス
３  時計ケース
１０  ムーブメント
１１  文字板
１５Ａ、１５Ｂ、１５Ｃ、１５Ｅ  表示部（表示装置）
３０  コイルブロック（電磁石）
５１、５１Ｄ  磁力発生部
５２Ａ、５２Ｂ、５２Ｃ、５２Ｅ  ケース
５３Ａ、５３Ｂ、５３Ｃ、５３Ｄ、５３Ｅ  第一極板
５４Ａ、５４Ｃ、５４Ｄ、５４Ｅ  第二極板
５５、５５Ｄ  第一磁力伝達部材
５６、５６Ｄ  第二磁力伝達部材
５７  窓
６０  制御部
６１  電圧検出部
６２  通信部
５１１  コア
５１２  コイル
５２１  第一面
５２２  第二面
５２４ｂ  大径部
５２６Ａ、５２６Ｂ  空間
５２８Ａ、５２８Ｂ、５２８Ｃ、５２８Ｄ  空間
５３１  開口部
Ｌ  非磁性流体
Ｍ  磁性流体
【図１】
2018155524.tif 000003
【図２】
2018155524.tif 000004
【図３】
2018155524.tif 000005
【図４】
2018155524.tif 000006
【図５】
2018155524.tif 000007
【図６】
2018155524.tif 000008
【図７】
2018155524.tif 000009
【図８】
2018155524.tif 000010
【図９】
2018155524.tif 000011
【図１０】
2018155524.tif 000012
【図１１】
2018155524.tif 000013
【図１２】
2018155524.tif 000014
【図１３】
2018155524.tif 000015
【図１４】
2018155524.tif 000016
【図１５】
2018155524.tif 000017
【図１６】
2018155524.tif 000018
【図１７】
2018155524.tif 000019
【図１８】
2018155524.tif 000020
【図１９】
2018155524.tif 000021
【図２０】
2018155524.tif 000022
【図２１】
2018155524.tif 000023
【図２２】
2018155524.tif 000024
【図２３】
2018155524.tif 000025
【図２４】
2018155524.tif 000026
【図２５】
2018155524.tif 000027
【図２６】
2018155524.tif 000028
【図２７】
2018155524.tif 000029
【図２８】
2018155524.tif 000030
【図２９】
2018155524.tif 000031
【図３０】
2018155524.tif 000032
【図３１】
2018155524.tif 000033
【図３２】
2018155524.tif 000034